(57)【要約】【課題】所定の病気に罹患した患者または所定の怪我をした患者がその病気または怪我に関するコンテンツを閲覧することで患者のその病気または怪我に関する検査結果が向上するという予想が正しいか否かの検証実験に用いるデータの収集を支援することができるデータ収集支援装置を提供する。【解決手段】コンテンツ記憶部２は、所定の病気または所定の怪我に関する個々のコンテンツと、その個々のコンテンツのタイトルとの組を複数組記憶する。出力制御部３は、新たにコンテンツが表示可能になったことを示す通知を定期的に出力し、所定の操作が行われた場合に、そのコンテンツをディスプレイ装置に表示させる。データ送信部４は、所定の条件が満たされたときに、表示可能となっている個々のコンテンツが表示済みであるか否かを示す情報、および、患者を特定するための情報を、予め定められた情報処理装置に送信する。【選択図】図１４
2019028902.tif 000002
【特許請求の範囲】
【請求項１】
所定の病気または所定の怪我に関する個々のコンテンツであって、表示可能となる順序が定められている個々のコンテンツと、前記個々のコンテンツのタイトルとの組を複数組記憶するコンテンツ記憶部と、
新たにコンテンツが表示可能になったことを示す通知を定期的に出力し、所定の操作が行われた場合に、前記コンテンツをディスプレイ装置に表示させる出力制御部と、
所定の条件が満たされたときに、表示可能となっている個々のコンテンツが表示済みであるか否かを示す情報、および、患者を特定するための情報を、予め定められた情報処理装置に送信するデータ送信部とを備える
ことを特徴とするデータ収集支援装置。
【請求項２】
出力制御部は、
新たなコンテンツが表示可能になったことを示す通知を、１日毎に出力する
請求項１に記載のデータ収集支援装置。
【請求項３】
出力制御部は、
新たなコンテンツが表示可能になったことを示す通知を、１日のうち１２時から１３時までの時間帯に出力する
請求項２に記載のデータ収集支援装置。
【請求項４】
出力制御部は、
新たなコンテンツが表示可能になったことを示す通知を、１日のうち１２時から１３時までの時間帯に含まれる時刻であって、１２時および１３時以外の時刻に出力する
請求項２または請求項３に記載のデータ収集支援装置。
【請求項５】
出力制御部は、
新たなコンテンツが表示可能になったことを示す通知を定期的にディスプレイ装置に表示させ、表示させた前記通知がタップされると、表示可能となっているコンテンツのタイトルのリストを示すリスト画面を前記ディスプレイ装置に表示させ、前記リスト画面に含まれるタイトルがタップされると、当該タイトルに対応付けられたコンテンツを前記ディスプレイ装置に表示させる
請求項１から請求項４のうちのいずれか１項に記載のデータ収集支援装置。
【請求項６】
出力制御部は、
タイトルがタップされたコンテンツが、所定の病気または所定の怪我に関する患者へのメッセージである場合、当該メッセージをディスプレイ装置に表示させ、前記メッセージを表示済みであることをコンテンツ記憶部に記憶させ、
タイトルがタップされたコンテンツが、患者に対するアンケートである場合、当該アンケートをディスプレイ装置に表示させ、前記アンケートを表示済みであることを前記コンテンツ記憶部に記憶させ、前記アンケートへの回答が入力され、送信指示の操作が行われた場合、前記アンケートの回答を前記コンテンツ記憶部に記憶させ、
データ送信部は、
前記送信指示の操作が行われた場合に、コンテンツ記憶部を参照して、表示可能となっている個々のメッセージおよびアンケートが表示済みであるか否かを示す情報、コンテンツ記憶部に記憶されているアンケートの回答、および、患者を特定するための情報を、予め定められた情報処理装置に送信する
請求項５に記載のデータ収集支援装置。
【請求項７】
データ送信部は、
最後のメッセージに該当するコンテンツがディスプレイ装置に表示された場合に、表示可能となっている個々のメッセージおよびアンケートが表示済みであるか否かを示す情報、コンテンツ記憶部に記憶されているアンケートの回答、および、患者を特定するための情報を、予め定められた情報処理装置に送信する
請求項６に記載のデータ収集支援装置。
【請求項８】
少なくとも一部のコンテンツのタイトルは、所定の病気または所定の怪我に関連する文言を含む
請求項１から請求項７のうちのいずれか１項に記載のデータ収集支援装置。
【請求項９】
所定の病気または所定の怪我に関する個々のコンテンツであって、表示可能となる順序が定められている個々のコンテンツと、前記個々のコンテンツのタイトルとの組を複数組記憶するコンテンツ記憶部を備えたコンピュータが、
新たにコンテンツが表示可能になったことを示す通知を定期的に出力し、所定の操作が行われた場合に、前記コンテンツをディスプレイ装置に表示させ、
所定の条件が満たされたときに、表示可能となっている個々のコンテンツが表示済みであるか否かを示す情報、および、患者を特定するための情報を、予め定められた情報処理装置に送信する
ことを特徴とするデータ収集支援方法。
【請求項１０】
所定の病気または所定の怪我に関する個々のコンテンツであって、表示可能となる順序が定められている個々のコンテンツと、前記個々のコンテンツのタイトルとの組を複数組記憶するコンテンツ記憶部を備えたコンピュータに搭載されるデータ収集支援プログラムであって、
前記コンピュータに、
新たにコンテンツが表示可能になったことを示す通知を定期的に出力し、所定の操作が行われた場合に、前記コンテンツをディスプレイ装置に表示させる出力制御処理、および、
所定の条件が満たされたときに、表示可能となっている個々のコンテンツが表示済みであるか否かを示す情報、および、患者を特定するための情報を、予め定められた情報処理装置に送信するデータ送信処理
を実行させるためのデータ収集支援プログラム。
【発明の詳細な説明】
【技術分野】
【０００１】
本発明は、所定の目的の検証実験に用いられるデータの収集を支援するデータ収集支援装置、データ収集支援方法およびデータ収集支援プログラムに関する。
【背景技術】
【０００２】
特許文献１には、介護施設のスタッフと介護施設の利用者の家族が参加するグループのチャットにおいて、各メッセージの既読者に関する情報を記憶することが記載されている。さらに、特許文献１には、メッセージの未読者に督促を行うことでチャットによる会議の進行を効率的に進めることが可能になるということが記載されている。
【０００３】
また、特許文献２には、患者、患者の家族、医師、看護師、理学療法士等をメンバーとするチームでＷＥＢ会議等のテレコミュニケーション機能を実現するためのシステムが記載されている。そして、特許文献２には、ＷＥＢ会議等でコミュニケーションを行う画面において、各入力に対し、既読者および未読者の人数を表示することが記載されている。さらに、特許文献２には、その人数がクリックされた場合、メンバー毎に、既読であれば読んだ日時を表示し、未読であれば未読と表示することが記載されている。
【先行技術文献】
【特許文献】
【０００４】
【特許文献１】特開２０１６−２０７２２０号公報
【特許文献２】特開２０１６−９１２２６号公報
【発明の概要】
【発明が解決しようとする課題】
【０００５】
本発明の発明者は、ある病気に罹患した患者がその病気に関するコンテンツを閲覧することで患者のその病気に関する検査結果が向上すると、予想した。
【０００６】
しかし、ある病気に罹患した患者がその病気に関するコンテンツを閲覧することで患者のその病気に関する検査結果が向上するということは、予想であって、確定した事項ではない。
【０００７】
そのため、ある病気に罹患した患者がその病気に関するコンテンツを閲覧することで患者のその病気に関する検査結果が向上するという予想が正しいか否かの検証実験に用いるデータを収集できることが好ましい。
【０００８】
同様に、ある怪我をした患者がその怪我に関するコンテンツを閲覧することで患者のその怪我に関する検査結果が向上するという予想が正しいか否かの検証実験に用いるデータを収集できることが好ましい。
【０００９】
そこで、本発明は、所定の病気に罹患した患者または所定の怪我をした患者がその病気または怪我に関するコンテンツを閲覧することで患者のその病気または怪我に関する検査結果が向上するという予想が正しいか否かの検証実験に用いるデータの収集を支援することができるデータ収集支援装置、データ収集支援方法およびデータ収集支援プログラムを提供することを目的とする。
【課題を解決するための手段】
【００１０】
本発明によるデータ収集支援装置は、所定の病気または所定の怪我に関する個々のコンテンツであって、表示可能となる順序が定められている個々のコンテンツと、その個々のコンテンツのタイトルとの組を複数組記憶するコンテンツ記憶部と、新たにコンテンツが表示可能になったことを示す通知を定期的に出力し、所定の操作が行われた場合に、そのコンテンツをディスプレイ装置に表示させる出力制御部と、所定の条件が満たされたときに、表示可能となっている個々のコンテンツが表示済みであるか否かを示す情報、および、患者を特定するための情報を、予め定められた情報処理装置に送信するデータ送信部とを備えることを特徴とする。
【００１１】
また、本発明によるデータ収集支援方法は、所定の病気または所定の怪我に関する個々のコンテンツであって、表示可能となる順序が定められている個々のコンテンツと、その個々のコンテンツのタイトルとの組を複数組記憶するコンテンツ記憶部を備えたコンピュータが、新たにコンテンツが表示可能になったことを示す通知を定期的に出力し、所定の操作が行われた場合に、そのコンテンツをディスプレイ装置に表示させ、所定の条件が満たされたときに、表示可能となっている個々のコンテンツが表示済みであるか否かを示す情報、および、患者を特定するための情報を、予め定められた情報処理装置に送信することを特徴とする。
【００１２】
また、本発明によるデータ収集支援プログラムは、所定の病気または所定の怪我に関する個々のコンテンツであって、表示可能となる順序が定められている個々のコンテンツと、その個々のコンテンツのタイトルとの組を複数組記憶するコンテンツ記憶部を備えたコンピュータに搭載されるデータ収集支援プログラムであって、コンピュータに、新たにコンテンツが表示可能になったことを示す通知を定期的に出力し、所定の操作が行われた場合に、コンテンツをディスプレイ装置に表示させる出力制御処理、および、所定の条件が満たされたときに、表示可能となっている個々のコンテンツが表示済みであるか否かを示す情報、および、患者を特定するための情報を、予め定められた情報処理装置に送信するデータ送信処理を実行させることを特徴とする。
【発明の効果】
【００１３】
本発明によれば、所定の病気に罹患した患者または所定の怪我をした患者がその病気または怪我に関するコンテンツを閲覧することで患者のその病気または怪我に関する検査結果が向上するという予想が正しいか否かの検証実験に用いるデータの収集を支援することができる。
【図面の簡単な説明】
【００１４】
【図１】本発明のデータ収集支援装置が実装されるコンピュータの構成例を示すブロック図である。
【図２】スマートフォンに実装された本発明のデータ収集支援装置の機能ブロック図である。
【図３】新たにコンテンツが表示可能になったことを示す通知の表示例を示す模式図である。
【図４】リスト画面の例を示す説明図である。
【図５】コンテンツがメッセージである場合のコンテンツの表示画面の例を示す説明図である。
【図６】コンテンツがアンケートである場合のコンテンツの表示画面の例を示す説明図である。
【図７】初期設定時の処理経過の例を示すフローチャートである。
【図８】初期設定画面の例を示す説明図である。
【図９】ステップＳ４で表示されるリスト画面の例を示す説明図である。
【図１０】ステップＳ５で表示されるメッセージの例を示す説明図である。
【図１１】新たにコンテンツが表示可能になったことを示す通知の表示に伴う処理経過の一例を示すフローチャートである。
【図１２】新たにコンテンツが表示可能になったことを示す通知の表示に伴う処理経過の一例を示すフローチャートである。
【図１３】運用停止の確認画面の例を示す説明図である。
【図１４】本発明のデータ収集支援装置の概要を示すブロック図である。
【発明を実施するための形態】
【００１５】
以下、本発明の実施形態を図面を参照して説明する。
【００１６】
本発明は、種々の病気または怪我に適用可能であるが、以下に示す実施形態では、本発明を心不全に適用した場合を例にして説明する。より具体的には、心不全の患者がコンテンツを閲覧することで患者の心不全に関する検査結果が向上するという予想が正しいか否かの検証実験に用いるデータの収集を、本発明によって支援する場合を例にして説明する。
【００１７】
図１は、本発明のデータ収集支援装置が実装されるコンピュータの構成例を示すブロック図である。本発明のデータ収集支援装置が実装されるコンピュータ１００は、ＣＰＵ（Central Processing Unit ）１０１と、主記憶装置１０２と、補助記憶装置１０３と、通信インタフェース１０４と、ディスプレイ装置１０５と、入力装置１０６とを備える。
【００１８】
以下、コンピュータ１００が、スマートフォンである場合を例にして説明し、コンピュータ１００をスマートフォン１００と記す。ただし、本発明のデータ収集支援装置が実装されるコンピュータは、スマートフォン以外のコンピュータであってもよい。
【００１９】
通信インタフェース１０４は、ＣＰＵ１０１が、通信ネットワークを介して、外部の装置と通信を行う際に用いるインタフェースである。
【００２０】
ディスプレイ装置１０５は、ＣＰＵ１０１の制御に従って、種々の画像を表示する。
【００２１】
入力装置１０６は、スマートフォン１００のユーザがスマートフォン１００に情報を入力するためのデバイスである。以下、入力装置１０６がタッチパネルである場合を例にして説明し、入力装置１０６を、タッチパネル１０６と記す。タッチパネル１０６は、ディスプレイ装置１０５の表示面に重ねて配置される。
【００２２】
また、本実施形態では、スマートフォン１００のユーザが心不全の患者である場合を例にして説明し、スマートフォン１００のユーザを、単に、患者と記す。
【００２３】
ＣＰＵ１０１は、所定の操作が行われると、例えば、外部の所定のサーバから、通信インタフェース１０４を介してデータ収集支援プログラムをダウンロードし、補助記憶装置１０３に記憶させる。さらに、ＣＰＵ１０１は、そのデータ収集支援プログラムを主記憶装置１０２に展開し、スマートフォン１００は、そのデータ収集支援プログラムに従って、データ収集支援装置として動作する。
【００２４】
なお、データ収集支援プログラムは、磁気ディスク、光磁気ディスク、ＣＤ−ＲＯＭ（Compact Disk Read Only Memory ）、ＤＶＤ−ＲＯＭ（Digital Versatile Disk Read Only Memory ）、半導体メモリ等のコンピュータ読み取り可能な記録媒体に記憶されていてもよい。そして、所定のインタフェース（図示略）を介してその記録媒体がスマートフォン１００に接続されたときに、ＣＰＵ１０１が、そのデータ収集支援プログラムを補助記憶装置１０３に記憶させ、さらに主記憶装置１０２に展開し、スマートフォン１００が、そのデータ収集支援プログラムに従って、データ収集支援装置として動作してもよい。
【００２５】
ＣＰＵ１０１は、データ収集支援プログラムに従って動作可能になった後、初期設定が行われると、心不全に関するコンテンツが新たに１件表示可能になったことを示す通知を定期的にディスプレイ装置１０５に表示させる。本実施形態では、心不全に関するコンテンツが新たに１件表示可能になったことを示す通知を、１日毎に、ディスプレイ装置１０５に表示させる場合を例にして説明する。なお、初期設定の処理経過については、後述する。
【００２６】
ＣＰＵ１０１は、上記の通知の表示後、患者の操作に応じて、表示可能となっているコンテンツのタイトルのリスト画面をディスプレイ装置１０５に表示させ、そのリスト画面内で指定されたタイトルに対応するコンテンツをディスプレイ装置１０５に表示させる。
【００２７】
コンテンツは所定日数分（本実施形態では１８０日分とする。）存在し、その複数のコンテンツには、病気（本実施形態では心不全）に関するメッセージと、患者へのアンケートとが含まれている。この複数のコンテンツは、データ収集支援プログラムのダウンロード時に、データ収集支援プログラムとともにダウンロードされ、補助記憶装置１０３に記憶される。メッセージは、病気（本実施形態では心不全）の治癒に役立つ教育的なメッセージであり、医師によって予め作成されている。
【００２８】
また、ＣＰＵ１０１は、患者の操作に応じて、閲覧情報およびアンケートの回答結果等を、予め定められた情報処理装置に電子メールで送信する。閲覧情報とは、表示可能となっている個々のメッセージおよびアンケートが表示済みであるか否かを示す情報である。なお、予め定められた情報処理装置とは、予め定められた病院によって管理される所定の情報処理装置である。以下、この病院を「所定の病院」と記す。
【００２９】
図２は、スマートフォン１００に実装された本発明のデータ収集支援装置の機能ブロック図である。データ収集支援装置１は、コンテンツ記憶部２と、出力制御部３と、データ送信部４と、設定部５と、ディスプレイ装置１０５と、タッチパネル１０６とを備える。ディスプレイ装置１０５およびタッチパネル１０６は、図１に示すディスプレイ装置１０５およびタッチパネル１０６に該当する。
【００３０】
コンテンツ記憶部２は、補助記憶装置１０３（図１参照）によって実現される。
【００３１】
コンテンツ記憶部２は、所定日数分（本実施形態では１８０日分とする。）のコンテンツを記憶する記憶装置である。この１８０日分のコンテンツには、心不全に関する患者へのメッセージと、患者へのアンケートとが含まれている。すなわち、メッセージもアンケートもコンテンツに該当する。コンテンツ毎に、コンテンツのＩＤ（Identification）と、コンテンツと、コンテンツのタイトルとが対応付けられている。そして、対応付けられたＩＤとコンテンツとタイトルとの組が、１８０日分、コンテンツ記憶部２に記憶されている。なお、「１８０日分」は例示であり、コンテンツ記憶部２に何日分のコンテンツを記憶させるかは、特に限定されない。
【００３２】
後述するように、出力制御部３は、定期的に、新たにコンテンツが表示可能になったことを示す通知をディスプレイ装置１０５に表示させる。本実施形態では、出力制御部３は、心不全に関するコンテンツが新たに１件表示可能になったことを示す通知を、１日毎に、ディスプレイ装置１０５に表示させる場合を例にして説明する。
【００３３】
個々のコンテンツが表示可能になる順番は、予め定められている。例えば、あるコンテンツが何番目に表示可能になるかは、そのコンテンツのＩＤから判定可能であってもよい。そして、出力制御部３は、個々のコンテンツのＩＤを参照して、個々のコンテンツが表示可能になる順番を判定してもよい。
【００３４】
また、所定日数毎に、コンテンツとして、アンケートが表示可能になる。本実施形態では、初期設定完了後、３０日目、６０日目、９０日目、１２０日目、１５０日目、１８０日目にアンケートが表示可能になったことを示す通知が表示されるものとする。
【００３５】
また、コンテンツ記憶部２は、患者のメッセージの閲覧状況やアンケートへの回答に応じて、閲覧情報およびアンケートの回答結果を記憶する。既に説明したように、閲覧情報とは、表示可能となっている個々のメッセージおよびアンケートが表示済みであるか否かを示す情報である。
【００３６】
また、コンテンツ記憶部２は、予め定められた情報処理装置（所定の病院の情報処理装置）に、閲覧情報やアンケートの回答等を電子メールで送信する際に用いる、宛先メールアドレスを記憶する。なお、後述のデータ送信部４が電子メールで閲覧情報等を送信する際に用いる送信元メールアドレスは、宛先メールアドレスと同一のメールアドレスである。
【００３７】
各コンテンツ（具体的には、ＩＤとコンテンツとタイトルとを対応付けた各組）、および、上記の宛先メールアドレスは、データ収集支援プログラムのダウンロード時に、データ収集支援プログラムとともにダウンロードされ、コンテンツ記憶部２（換言すれば、補助記憶装置１０３）に記憶される。
【００３８】
また、コンテンツ記憶部２は、初期設定時に設定される患者のニックネームおよびあいことばも記憶する。さらに、コンテンツ記憶部２は、初期設定が行われた日を、データ収集支援装置１の運用開始日として記憶する。
【００３９】
ただし、データ収集支援装置１を使用する患者がニックネームおよびあいことばを使用することはない。ニックネームおよびあいことばは、所定の病院に勤務する担当者（例えば、医師や看護師等。以下、所定の病院の担当者と記す。）が、患者と、その患者の氏名等の個人情報とを対応付けるために用いられる。
【００４０】
出力制御部３は、データ収集支援プログラムに従って動作するＣＰＵ１０１（図１参照）によって実現される。
【００４１】
出力制御部３は、新たにコンテンツが表示可能になったことを示す通知を定期的にディスプレイ装置１０５に表示させる。本実施形態では、出力制御部３は、その通知を、１日毎にディスプレイ装置１０５に表示させる。より具体的には、初期設定が行われた後、出力制御部３は、１日における所定の時刻になる毎に、１件分のコンテンツが新たに表示可能になったことを示す通知をディスプレイ装置１０５に表示させる。
【００４２】
図３は、新たにコンテンツが表示可能になったことを示す通知の表示例を示す模式図である。なお、図３では、ディスプレイ装置１０５と同一の面に設けられているスマートフォンのスイッチ、スピーカ、マイクロフォン等の図示を省略している。この点は、後述の図面でも同様である。
【００４３】
図３に示す例では、ディスプレイ装置１０５に表示された通知１１は、「食べて動いて病気を理解しましょう。」というタイトルの１件のコンテンツが新たに表示可能になったことを示している。なお、図３に示す例において、通知１１の他に、現在の日付や時刻を示す情報が通知１１とは別に表示されていてもよい。
【００４４】
出力制御部３は、例えば、新たにコンテンツが表示可能になったことを示す通知１１を、１日のうち１２時から１３時までの時間帯に、ディスプレイ装置１０５に表示させることが好ましい。１２時から１３時までの時間帯は、昼休みであることが多く、通知１１を確認した患者が、すぐにコンテンツを閲覧しやすい時間帯であるからである。
【００４５】
特に、出力制御部３は、１日のうち１２時から１３時までの時間帯であって、１２時および１３時以外の所定の時刻に、新たにコンテンツが表示可能になったことを示す通知１１をディスプレイ装置１０５に表示させることが好ましい。１２時ちょうどまたは１３時ちょうどの時刻には、種々のメールマガジン等が配信されることが多く、患者がそのようなメールマガジンの読者である場合には、メールマガジンが配信された旨の通知と、通知１１とが重なってしまう。その結果、患者は、メールマガジンに興味をひかれ、心不全のコンテンツを閲覧しないことがあり得る。従って、出力制御部３は、１２時から１３時までの時間帯であって、１２時および１３時以外の所定の時刻（例えば、１２時５分）に通知１１をディスプレイ装置１０５に表示させることが好ましい。
【００４６】
出力制御部３が通知１１を表示させている間に、患者によって何も操作されないまま、データ収集支援装置１がバッテリー切れの状態になる場合がある。このとき、出力制御部３は、充電完了後、再度、通知１１をディスプレイ装置１０５に表示させることが好ましい。このため、出力制御部３は、通知１１を表示させたときに、表示中の通知１１をコンテンツ記憶部２に記憶させることが好ましい。出力制御部３は、バッテリー切れとなり、その後、充電されたならば、表示中であった通知１１をコンテンツ記憶部２から読み込み、その通知１１を再度、ディスプレイ装置１０５に表示させればよい。
【００４７】
既に説明したように、ディスプレイ装置１０５の表示面には、タッチパネル１０６が重ねて配置されている。表示された通知１１が患者によってタップされたことを検出すると、出力制御部３は、表示可能となっているコンテンツのタイトルのリストを示すリスト画面をディスプレイ装置１０５に表示させる。
【００４８】
図４は、リスト画面の例を示す説明図である。図４に示す例では、ディスプレイ装置１０５の表示領域全体に、リスト画面１２が表示される場合を例示している。
【００４９】
リスト画面１２は、そのリスト画面１２のタイトル１２ａと、表示可能となっているコンテンツのタイトルのリスト１２ｂと、運用停止ボタン３１とを含む。図４に示す例では、「心肺の健康アドバイス」という文言がリスト画面１２のタイトル１２ａに該当する。運用停止ボタン３１については後述する。
【００５０】
出力制御部３は、タイトルのリスト１２ｂにおいて、コンテンツのタイトルを、コンテンツが表示可能になった順に並べて表示する。出力制御部３は、表示可能になった日付が早いコンテンツのタイトルほど、リスト１２ｂの下方に表示する。また、出力制御部３は、表示可能になった日付が現在の日付に近いコンテンツのタイトルほど、リスト１２ｂの上方に表示する。図３および図４に示す例では、「食べて動いて病気を理解しましょう。」というタイトルを有するコンテンツが、表示可能になった最新のコンテンツであるので、「食べて動いて病気を理解しましょう。」というタイトルが、図４に示すリスト１２ｂの最上部に表示されている。
【００５１】
また、表示可能なコンテンツは、１日に１件ずつ増加していくことになる。例えば、出力制御部３が、毎日、１２時５分に通知１１（図３参照）を表示させるとすると、毎日１２時５分になる毎に、表示可能なコンテンツが１件増加することになる。従って、図４に示すリスト１２ｂに含まれるタイトルも、１日に１件ずつ増加していくことになる。
【００５２】
リスト１２ｂに含まれる全てのタイトルをディスプレイ装置１０５の表示領域内に表示できない場合、出力制御部３は、タッチパネル１０６に対する患者の操作に応じて、タイトルのリスト１２ｂをスクロールさせる。この結果、出力制御部３は、表示可能になった日付が早いコンテンツのタイトルを表示させたり、表示可能になった日付が現在の日付に近いコンテンツのタイトルを表示させたりすることができる。
【００５３】
また、出力制御部３は、タイトルのリスト１２ｂにおいて、表示済みのコンテンツのタイトルと、未表示のコンテンツのタイトルとを、文字の濃淡で区別する。例えば、出力制御部３は、タイトルのリスト１２ｂにおいて、表示済みのコンテンツのタイトルを、淡い文字で表示し、未表示のコンテンツのタイトルを濃い文字で表示する。図４に示す例では、「食べて動いて病気を理解しましょう。」というタイトルのコンテンツ、および、「自己管理（食事、運動等）＋学習＋内服。」というタイトルのコンテンツが未表示であることを示している。
【００５４】
ここで、コンテンツのタイトルについて、説明する。
【００５５】
全てのコンテンツのうち、少なくとも一部のコンテンツのタイトルは、病気（本実施形態では心不全）に関連する文言を含む。ただし、全てのコンテンツのタイトルが、病気（心不全）に関連する文言を含んでいなくてもよい。例えば、コンテンツがアンケートである場合、そのコンテンツのタイトルは、「アンケート」であってもよい。心不全に関連する文言の例として、「心不全」、「心肺検査」、「食べる」、「食事」、「動く」、「運動」、「スポーツ」、「寝る」、「睡眠」、「塩分」等が挙げられる。ただし、心不全に関連する文言は、これらの例に限定されない。心不全に関連する文言がタイトルに含まれていれば、患者は、そのコンテンツに興味をもち、そのコンテンツを閲覧する可能性が高いと考えられる。
【００５６】
また、全てのコンテンツのうち、少なくとも一部のコンテンツのタイトルは、所定の文字数以下または所定の単語数以下のタイトル。日本語を用いる場合には、少なくとも一部のコンテンツのタイトルが２０文字以下であることが好ましい。以下、日本語を用いる場合を例にして説明する。タイトルが２０文字を超えるコンテンツが存在していてもよい。しかし、図４に例示する画面において、２０文字以上のタイトルが表示されていた場合、タイトルが長すぎて、患者がそのコンテンツに興味を持たず、その結果、患者がそのコンテンツを閲覧しないと考えられる。換言すると、２０文字以下の簡潔なタイトルであれば、患者はそのコンテンツに興味をもち、そのコンテンツを閲覧する可能性が高いと考えられる。
【００５７】
従って、少なくとも一部のコンテンツのタイトルは、心不全に関連する文言を含み、２０文字以下であることが好ましく、そのようなタイトルを有するコンテンツが多いほど好ましい。
【００５８】
タイトルのリスト１２ｂに含まれるいずれかのタイトルがタップされると、出力制御部３は、そのタイトルに対応するコンテンツを、コンテンツ記憶部２から読み出して、そのコンテンツをディスプレイ装置１０５に表示させる。
【００５９】
図５は、コンテンツがメッセージである場合のコンテンツの表示画面の例を示す説明図である。コンテンツがメッセージである場合、出力制御部３は、バックボタン（戻るボタン）１３と、コンテンツのタイトル１４と、メッセージ１５とを含む画面を、ディスプレイ装置１０５に表示させる。
【００６０】
タイトル１４は、タイトルのリスト１２ｂ（図４参照）でタップされたタイトルである。メッセージ１５は、そのタイトルに対応するメッセージである。出力制御部３は、メッセージを１画面内に表示できない場合には、タッチパネル１０６に対する患者の操作に応じて、コンテンツ（本例ではメッセージ）の表示画面をスクロールすればよい。
【００６１】
出力制御部３は、図５に例示するコンテンツ（メッセージ）の表示画面をディスプレイ装置１０５に表示させた場合、そのコンテンツ（メッセージ）のＩＤに対応付けて、そのメッセージを表示済みである旨の情報を、コンテンツ記憶部２に記憶させる。また、このとき、出力制御部３は、そのメッセージの表示日時も、そのＩＤに対応付けて、コンテンツ記憶部２に記憶させる。
【００６２】
バックボタン１３は、１つ前の画面に戻す操作を行うためのボタンである。患者によってバックボタン１３がタップされた場合、出力制御部３は、再度、リスト画面（図４参照）をディスプレイ装置１０５に表示させる。
【００６３】
また、コンテンツがメッセージではなく、アンケートである場合もある。本実施形態では、３０日目、６０日目、９０日目、１２０日目、１５０日目、１８０日目に表示可能となるアンケートのタイトルが、「アンケート」で統一されているものとして説明する。
【００６４】
タイトルのリスト１２ｂに含まれるタイトルのうち、「アンケート」というタイトル（図４において図示せず。）がタップされると、出力制御部３は、そのタイトルに対応するコンテンツ（アンケート）を、コンテンツ記憶部２から読み出して、そのアンケートをディスプレイ装置１０５に表示させる。本実施形態では、３０日目、６０日目、９０日目、１２０日目、１５０日目に表示可能となるアンケートが共通である場合を例にして説明する。ただし、その各アンケートは、それぞれ別々のＩＤに対応付けられている。また、１８０日目（最終日）に表示可能となるアンケートは他のアンケートに１つの質問を追加したものであるものとする。その１つの質問は、例えば、「このアプリケーションに対する印象を教えて下さい。」という質問であり、回答となる選択肢として、「大変良かった」、「良かった」、「あまり良くなかった」、「良くなかった」という選択肢が用意された質問である。１８０日目に表示可能となるアンケートも、他の個々のアンケートとは別のＩＤに対応付けられている。
【００６５】
図６は、コンテンツがアンケートである場合のコンテンツの表示画面の例を示す説明図である。コンテンツがアンケートである場合、バックボタン１３と、コンテンツ（アンケート）のタイトル１４と、アンケートと、送信ボタン１７とを含む画面を、ディスプレイ装置１０５に表示させる。個々のアンケートは、質問１６ａと、回答となる選択肢１６ｂとを含む。選択肢１６ｂは、例えば、ラジオボタンを操作して選択される。出力制御部３は、全てのアンケートを１画面内に表示できない場合には、タッチパネル１０６に対する患者の操作に応じて、アンケートの表示画面をスクロールすればよい。
【００６６】
出力制御部３は、図６に例示するコンテンツ（アンケート）の表示画面をディスプレイ装置１０５に表示させた場合、そのコンテンツ（アンケート）のＩＤに対応付けて、そのアンケートを表示済みである旨の情報を、コンテンツ記憶部２に記憶させる。また、このとき、出力制御部３は、そのアンケートの表示日時も、そのＩＤに対応付けて、コンテンツ記憶部２に記憶させる。
【００６７】
バックボタン１３は、図５に示すバックボタン１３と同様であり、説明を省略する。
【００６８】
送信ボタン１７は、表示可能となっている個々のメッセージおよびアンケートが表示済みであるか否かを示す情報（すなわち、閲覧情報）等を所定の病院の情報処理装置に送信するためのボタンである。
【００６９】
各アンケートへの回答が患者によって入力され、さらに、送信ボタン１７がタップされると、出力制御部３は、入力された各アンケートの回答を、コンテンツ記憶部２に記憶させる。
【００７０】
次に、データ送信部４は、この時点までにコンテンツ記憶部２に記憶されている所定の情報を、所定の病院の情報処理装置に電子メールで送信する。なお、データ送信部４は、データ収集支援プログラムに従って動作するＣＰＵ１０１および通信インタフェース１０４（図１参照）によって実現される。データ送信部４は、運用開始日の情報と、送信ボタン１７がタップされた時点までに表示可能となっている個々のメッセージおよびアンケートが表示済みであるか否かを示す情報（すなわち、閲覧情報）と、表示済みのコンテンツ（表示済みの各メッセージおよび各アンケート）の表示日時の情報と、コンテンツ記憶部２に記憶されているアンケートの回答と、初期設定時にコンテンツ記憶部２に記憶されたニックネームおよびあいことばとを、所定の病院の情報処理装置に電子メールで送信する。
【００７１】
このとき、データ送信部４は、過去にアンケートの回答がコンテンツ記憶部２に記憶されている場合、そのアンケートの回答も全て、所定の病院の情報処理装置に送信する。例えば、出力制御部３が１５０日目に表示可能となったアンケートを表示し、そのアンケートに対する回答が入力され、送信ボタン１７がタップされたとする。このとき、３０日目、６０日目、９０日目、１２０日目に表示可能となったアンケートの回答が患者よって既に入力され、その回答がコンテンツ記憶部２に記憶されているとする。この場合、データ送信部４は、１５０日目に表示可能となったアンケートの回答だけを送信するのではなく、３０日目、６０日目、９０日目、１２０日目および１５０日目に表示可能となったアンケートの回答を全て送信する。
【００７２】
ニックネームおよびあいことばは、所定の病院の担当者が、データ収集支援装置１の使用者である患者を特定するための情報である。
【００７３】
データ送信部４は、フラグ情報も上記の各情報と合わせて所定の病院の情報処理装置に送信してもよい。フラグ情報は、未表示のコンテンツがあるか否かを示す情報であり、２値（例えば“０”および“１”）のいずれかで表される。例えば、未表示のコンテンツがある場合、フラグ情報は“１”で表され、未表示のコンテンツがない場合、フラグ情報は“０”で表される。
【００７４】
また、１８０日目に表示可能となるコンテンツがメッセージ（最終メッセージ）である場合には、出力制御部３がそのメッセージを表示したことをトリガとして、データ送信部４は、運用開始日の情報と、その時点までに表示可能となっている個々のメッセージおよびアンケートが表示済みであるか否かを示す情報（すなわち、閲覧情報）と、表示済みのコンテンツ（表示済みの各メッセージおよび各アンケート）の表示日時の情報と、コンテンツ記憶部２に記憶されているアンケートの回答と、初期設定時にコンテンツ記憶部２に記憶されたニックネームおよびあいことばとを、所定の病院の情報処理装置に電子メールで送信する。
【００７５】
また、１８０日目（最終日）に、最終メッセージと、最後のアンケートとをそれぞれ表示可能としてもよい。この場合、データ送信部４は、最終メッセージが表示されたことをトリガとして、その時点における上記の各情報を、所定の病院の情報処理装置に電子メールで送信する。また、最後のアンケートが表示され、回答が入力され、さらに送信ボタン１７がタップされた場合にも、データ送信部４は、その時点における上記の各情報を、所定の病院の情報処理装置に電子メールで送信する。
【００７６】
データ送信部４は、情報を電子メールで所定の病院の情報処理装置に送信する。このとき用いる宛先メールアドレスは、コンテンツ記憶部２に記憶されている。また、データ送信部４は、送信する電子メールにおける送信元メールアドレスとして、宛先メールアドレスと同一のメールアドレスを用いる。
【００７７】
設定部５は、データ収集支援プログラムに従って動作するＣＰＵ１０１（図１参照）によって実現される。
【００７８】
出力制御部３は、ニックネームおよびあいことばの入力画面（換言すれば、初期設定画面）をディスプレイ装置１０５に表示させる。そして、ニックネームおよびあいことばが入力された場合、設定部５は、そのニックネームおよびあいことばを、コンテンツ記憶部２に記憶させる。また、設定部５は、ニックネームおよびあいことばが入力された日の日付を、データ収集支援装置１の運用開始日としてコンテンツ記憶部２に記憶させる。
【００７９】
また、図４に示す運用停止ボタン３１は、新たな通知１１（図３参照）の表示を停止させるためのボタンである。運用停止ボタン３１がタップされ、所定の操作が行われた後には、設定部５は、出力制御部３が所定の時刻になると通知１１（図３参照）を表示するという動作を、停止させる。
【００８０】
また、運用停止ボタン３１がタップされ、所定の操作が行われた場合、データ送信部４は、その操作が行われた時点までにコンテンツ記憶部２に記憶されている所定の情報を、所定の病院の情報処理装置に電子メールで送信する。その後、データ送信部４は、情報の送信を停止する。
【００８１】
次に、本発明の処理経過の例について説明する。
【００８２】
まず、初期設定時の処理経過の例について説明する。図７は、初期設定時の処理経過の例を示すフローチャートである。データ収集支援プログラムのダウンロード後、初期設定画面を表示させるための所定の操作が行われると、出力制御部３は、初期設定画面をディスプレイ装置１０５に表示させる（ステップＳ１）。
【００８３】
なお、データ収集支援プログラムをダウンロードする操作、および、初期設定画面を表示させる操作は、患者ではなく、所定の病院の担当者が行う。同様に、ニックネームおよびあいことばを決定し、入力する操作も、所定の病院の担当者が行う。
【００８４】
初期設定画面は、患者のニックネームおよびあいことばの入力画面である。図８は、初期設定画面の例を示す説明図である。初期設定画面は、ニックネームの入力欄４１と、あいことばの入力欄４２と、ＯＫボタン４３とを含んでいる。ＯＫボタン４３は、入力欄４１，４２に入力されたニックネームおよびあいことばを確定させるためのボタンである。
【００８５】
所定の病院の担当者は、患者に対して一意にニックネームおよびあいことばを決定し、決定したニックネームを入力欄４１に入力し、決定したあいことばを入力欄４２に入力する。入力欄４１にニックネームが入力され、入力欄４２にあいことばが入力された後、所定の病院の担当者によってＯＫボタン４３がタップされると、設定部５は、入力されたニックネームおよびあいことばを、コンテンツ記憶部２に記憶させる（ステップＳ２）。また、このとき、設定部５は、その日の日付を、データ収集支援装置１の運用開始日として、コンテンツ記憶部２に記憶させる（ステップＳ２）。
【００８６】
なお、所定の病院の担当者は、患者に対して一意に決定したニックネームおよびあいことばと、その患者の氏名等の個人情報とを対応付けて、記録しておく。記録の方法は、特に限定されない。このように、ニックネームおよびあいことばと、患者の氏名等の個人情報とを対応付けて記録しておくことによって、所定の病院の担当者は、ニックネームおよびあいことばとともに情報を受信した場合、その情報がどの患者の情報であるのかを特定することができる。ニックネームおよびあいことばは、このように、所定の病院の担当者によって用いられる。
【００８７】
また、ステップＳ２においてＯＫボタン４３がタップされると、データ送信部４は、ニックネームおよびあいことばを含む電子メールであって、スマートフォンにおいてデータ収集支援装置１としての運用が開始されたことを示す電子メールを、所定の病院の情報処理装置に送信する（ステップＳ３）。データ送信部４は、この電子メールの送信元メールアドレスとして、宛先メールアドレスと同一のメールアドレスを用いればよい。所定の病院の情報処理装置は、この電子メールを受信することで、ニックネームによって特定される患者のデータ収集支援装置１の運用が始まったことを認識することができる。
【００８８】
次に、出力制御部３は、タイトルのリスト１２ｂに「はじめに」という１つのタイトルを含むリスト画面１２をディスプレイ装置１０５に表示させる（ステップＳ４）。図９は、ステップＳ４で表示されるリスト画面１２の例を示す説明図である。リスト画面１２のタイトル１２ａや運用停止ボタン３１は、図４に示すタイトル１２ａや運用停止ボタン３１と同様である。ステップＳ４で表示されるリスト画面１２は、タイトルのリスト１２ｂに１つのタイトルのみを含んでいる。
【００８９】
ステップＳ４で、１つのタイトルを示すリスト画面１２を表示する理由について説明する。既に説明したように、所定の時刻（ここでは、１２時５分とする。）になると、出力制御部３は、新たにコンテンツが表示可能になったことを示す通知１１をディスプレイ装置１０５に表示させる。仮に、ステップＳ４で、図９に例示するリスト画面を表示しないとすると、ニックネーム等の入力が完了し、運用が開始された後であったとしても、次回の１２時５分までの間は、患者が閲覧できるコンテンツが１つもない状態になる。運用が開始された後であるにも関わらず、閲覧できるコンテンツが１つもないとすると、患者は運用が開始されていることを明確に認識できずに戸惑う可能性がある。そこで、初回の通知１１が表示される前に、データ収集支援装置１は、ステップＳ４で、１つのタイトルを示すリスト画面１２（図９参照）を表示する。この結果、患者は、閲覧できるコンテンツが存在していることを認識して、運用が開始されていることを明確に把握することができる。
【００９０】
図９に例示するリスト画面１２内で「はじめに」というタイトルがタップされると、出力制御部３は、「はじめに」というタイトルに対応するメッセージを、ディスプレイ装置１０５に表示させる（ステップＳ５）。図１０は、ステップＳ５で表示されるメッセージ（「はじめに」というタイトルを有するメッセージ）の例を示す説明図である。
【００９１】
図９に例示するリスト画面１２内で「はじめに」というタイトルをタップすることで、患者は、図１０に示すように、「はじめに」というタイトル１４と、そのタイトルに対応するメッセージ１５を含む画面を閲覧することができる。なお、バックボタン１３は、図５に示すバックボタン１３と同様である。
【００９２】
図９に示す例では、リスト画面１２内に表示される１つのタイトルが「はじめに」である場合を例示したが、このタイトルは、「はじめに」以外のタイトルであってもよい。また、このタイトルがタップされたときに表示されるメッセージは、図１０に示すメッセージ１５に限定されず、他のメッセージがステップＳ５で表示されてもよい。
【００９３】
次に、通知１１（新たにコンテンツが表示可能になったことを示す通知）の表示に伴う処理経過の例について説明する。図１１および図１２は、この処理経過の一例を示すフローチャートである。以下に示す例では、出力制御部３が、毎日、１２時５分になると、通知１１をディスプレイ装置１０５に表示させる場合を例にして説明する。また、既に説明した事項については、詳細な説明を省略する。
【００９４】
出力制御部３は、現在時刻が所定の時刻（本例では、１２時５分）になったか否かを判定する（ステップＳ１１）。現在時刻が１２時５分でないならば（ステップＳ１１のＮｏ）、出力制御部３は、ステップＳ１１の処理を繰り返す。
【００９５】
現在時刻が１２時５分になったならば（ステップＳ１１のＹｅｓ）、出力制御部３は、新たにコンテンツが表示可能になったことを示す通知１１をディスプレイ装置１０５に表示させる（ステップＳ１２）。例えば、出力制御部３は、図３に例示するように、通知１１をディスプレイ装置１０５に表示させる。
【００９６】
続いて、出力制御部３は、表示中の通知１１がタップされたか否かを判定する（ステップＳ１３）。通知１１がタップされなければ（ステップＳ１３のＮｏ）、出力制御部３は、通知１１を表示させたまま、ステップＳ１３の処理を繰り返す。
【００９７】
表示中の通知１１がタップされたならば（ステップＳ１３のＹｅｓ）、出力制御部３は、リスト画面１２をディスプレイ装置１０５に表示させる（ステップＳ１４）。例えば、出力制御部３は、図４に例示するように、リスト画面１２をディスプレイ装置１０５に表示させる。出力制御部３は、ステップＳ１２で表示した通知１１が示すタイトルを、リスト画面１２において、タイトルのリスト１２ｂ（図４参照）の最上部に表示する。
【００９８】
出力制御部３は、リスト画面の表示中に、リスト画面の終了操作が行われたか否かを判定する（ステップＳ１５）。リスト画面の終了操作が行われたならば（ステップＳ１５のＹｅｓ）、処理を終了する。
【００９９】
また、リスト画面の終了操作が行われない場合（ステップＳ１５のＮｏ）、出力制御部３は、リスト画面１２内のタイトルのリスト１２ｂ（図４参照）の中から１つのタイトルがタップされたか否かを判定する（ステップＳ１６）。どのタイトルもタップされない場合（ステップＳ１６のＮｏ）、出力制御部３は、ステップＳ１５以降の処理を繰り返す。
【０１００】
リスト１２ｂ（図４参照）の中から１つのタイトルがタップされた場合（ステップＳ１６のＹｅｓ）、出力制御部３は、そのタイトルに対応するコンテンツをディスプレイ装置１０５に表示させる。なお、ステップＳ１６で、過去に表示可能となったコンテンツのタイトルがタップされてもよいが、ここでは、表示可能となった最新のコンテンツのタイトル（すなわち、タイトルのリスト１２ｂ（図４参照）の最上部のタイトル）がタップされるものとする。
【０１０１】
１つのタイトルがタップされた場合における、それ以降の動作を図１２に示している。
【０１０２】
タップされたタイトルに対応するコンテンツがメッセージである場合、出力制御部３は、タップされたタイトルに対応するメッセージをディスプレイ装置１０５に表示させる（ステップＳ１７）。例えば、出力制御部３は、図５に例示するメッセージの表示画面をディスプレイ装置１０５に表示させる。
【０１０３】
さらに、出力制御部３は、そのメッセージのＩＤに対応付けて、そのメッセージを表示済みである旨の情報をコンテンツ記憶部２に記憶させる（ステップＳ１８）。ステップＳ１８において、出力制御部３は、そのメッセージの表示日時もそのＩＤに対応付けてコンテンツ記憶部２に記憶させる。
【０１０４】
また、出力制御部３は、メッセージの表示画面内のバックボタン１３（図５参照）がタップされたことを検知すると（ステップＳ１９）、ステップＳ１４に移行し、ステップＳ１４以降の処理を繰り返す。なお、ステップＳ１４はリスト画面をディスプレイ装置１０５に表示させる処理である。なお、バックボタン１３がタップされなければ、出力制御部３は、メッセージの表示画面の表示を継続する。
【０１０５】
タップされたタイトルに対応するコンテンツがアンケートである場合、出力制御部３は、タップされたタイトルに対応するアンケートをディスプレイ装置１０５に表示させる（ステップＳ２０）。例えば、出力制御部３は、図６に例示するアンケートの表示画面をディスプレイ装置１０５に表示させる。
【０１０６】
さらに、出力制御部３は、そのアンケートのＩＤに対応付けて、そのアンケートを表示済みである旨の情報をコンテンツ記憶部２に記憶させる（ステップＳ２１）。ステップＳ２１において、出力制御部３は、そのアンケートの表示日時もそのＩＤに対応付けてコンテンツ記憶部２に記憶させる。
【０１０７】
次に、出力制御部３は、アンケートの表示画面に各アンケートの回答が入力され、さらに、送信ボタン１７（図６参照）がタップされたか否かを判定する（ステップＳ２２）。回答が入力されず、送信ボタン１７がタップされなければ（ステップＳ２２のＮｏ）、出力制御部３は、ステップＳ２２の処理を繰り返す。なお、図１１および図１２のフローチャートでは図示を省略しているが、回答が入力されず、送信ボタン１７がタップされない状態で、バックボタン１３（図６参照）がタップされた場合には、出力制御部３は、ステップＳ１４に移行し、ステップＳ１４以降の処理を繰り返す。
【０１０８】
回答が入力され、送信ボタン１７がタップされた場合（ステップＳ２２のＹｅｓ）、出力制御部３は、入力された回答をアンケートのＩＤに対応付けて、コンテンツ記憶部２に記憶させる（ステップＳ２３）。
【０１０９】
次に、データ送信部４は、運用開始日の情報と、送信ボタン１７がタップされた時点までに表示可能となっている個々のメッセージおよびアンケートが表示済みであるか否かを示す情報（すなわち、閲覧情報）と、表示済みのコンテンツ（表示済みの各メッセージおよび各アンケート）の表示日時の情報と、コンテンツ記憶部２に記憶されているアンケートの回答と、ニックネームおよびあいことばを、コンテンツ記憶部２から読み込む。そして、データ送信部４は、コンテンツ記憶部２から読み込んだそれらの情報を、所定の病院の情報処理装置に電子メールで送信する（ステップＳ２４）。なお、データ送信部４は、この電子メールの送信元メールアドレスとして、宛先メールアドレスと同一のメールアドレスを用いればよい。
【０１１０】
データ収集支援装置１は、ステップＳ２４の後、ステップＳ１４に移行し、ステップＳ１４以降の処理を繰り返す。
【０１１１】
以上が、通知１１（図３参照）の表示に伴う処理経過の一例である。ただし、上記の説明は例示であり、通知１１（図３参照）の表示に伴う処理経過が上記の通りでなくてもよい。
【０１１２】
また、患者が、コンテンツの閲覧を止めたいと考える場合があり得る。この場合、患者は、リスト画面１２に含まれている運用停止ボタン３１（図４参照）をタップすればよい。運用停止ボタン３１がタップされると、出力制御部３は、運用停止の確認画面をディスプレイ装置１０５に表示させる。
【０１１３】
図１３は、運用停止の確認画面の例を示す説明図である。運用停止の確認画面は、データ収集装置１の運用停止を確定させるための確定ボタン５１を含む。また、図１３に示す例では、「よろしければ止める理由を教えて下さい。」というアンケートを含む画面を例示している。
【０１１４】
運用停止の確認画面に含まれる確定ボタン５１がタップされると、データ送信部４は、運用開始日の情報と、確定ボタン５１がタップされた時点までに表示可能となっている個々のメッセージおよびアンケートが表示済みであるか否かを示す情報（すなわち、閲覧情報）と、表示済みのコンテンツ（表示済みの各メッセージおよび各アンケート）の表示日時の情報と、コンテンツ記憶部２に記憶されているアンケートの回答と、ニックネームおよびあいことばを、コンテンツ記憶部２から読み込む。そして、データ送信部４は、コンテンツ記憶部２から読み込んだそれらの情報を、所定の病院の情報処理装置に電子メールで送信する。この処理は、ステップＳ２４の処理と同様である。なお、運用停止の確認画面内に示されているアンケートの回答が入力された場合には、データ送信部４は、その回答もその電子メールによって送信する。その後、データ送信部４が所定の病院の情報処理装置に情報を送信することはない。
【０１１５】
確定ボタン５１がタップされた後には、設定部５は、出力制御部３が所定の時刻になると通知１１（図３参照）を表示するという動作を、停止させる。従って、確定ボタン５１がタップされた後には、新たな通知１１が表示されることはない。
【０１１６】
本実施形態によれば、例えば、ステップＳ２４で、データ送信部４が、運用開始日の情報と、閲覧情報と、表示済みのコンテンツ（表示済みの各メッセージおよび各アンケート）の表示日時の情報と、コンテンツ記憶部２に記憶されているアンケートの回答と、ニックネームおよびあいことばを、所定の病院の情報処理装置に電子メールで送信する。所定の病院の情報処理装置は、複数のデータ収集支援装置１から（換言すれば、複数の患者から）、同様の情報を受信する。また、所定の病院の担当者は、ニックネームおよびあいことばをキーにして、患者の氏名等を特定することができる。
【０１１７】
このように、所定の病院の担当者は、複数の患者から１８０日分のデータを収集したり、運用を途中でやめた患者からその時点までに蓄積されたデータを収集したりすることができる。また、所定の病院の医師は、データ収集支援装置１を使用していた患者に、例えば、ＢＮＰ（Brain Natriuretic peptide ）検査を行うことができる。従って、所定の病院の医師は、例えば、複数の患者から収集した閲覧情報等の各種情報と、ＢＮＰ検査結果との相関関係分析を実施できる。そして、その相関関係分析から、心不全の患者が心不全に関連するコンテンツを閲覧することで患者の心不全に関する検査結果（例えば、ＢＮＰ検査結果）が向上するという予想が正しいかどうかが分かる。
【０１１８】
よって、本発明によれば、所定の病気に罹患した患者がその病気に関するコンテンツを閲覧することで患者のその病気に関する検査結果が向上するという予想が正しいか否かの検証実験に用いるデータの収集を容易に行えることができる。すなわち、本発明によれば、そのようなデータの収集を支援することができる。
【０１１９】
次に、本発明の変形例について説明する。上記の実施形態では、出力制御部３が、新たにコンテンツが表示可能になったことを示す通知１１をディスプレイ装置１０５に表示させる場合を例にして説明した。新たにコンテンツが表示可能になったことを示す通知の出力方法は、他の方法であってもよい。例えば、出力制御部３は、スマートフォンのバイブレーション機能を利用して、データ収集支援装置１を振動させることによって、新たにコンテンツが表示可能になったことを通知してもよい。また、出力制御部３は、スマートフォンのＬＥＤ（Light Emitting Diode）ライトを点灯させることによって、新たにコンテンツが表示可能になったことを通知してもよい。また、出力制御部３は、ディスプレイ装置１０５において、データ収集支援プログラムのアイコンの近傍に、未表示のコンテンツが存在することを示す“１”というフラグ情報を表示することで、新たにコンテンツが表示可能になったことを通知してもよい。
【０１２０】
また、上記の実施形態では、病気の例として心不全を用いて説明した。心不全以外の病気や怪我を本発明に適用してもよい。例えば、糖尿病、うつ病、煙草依存症、アルコール依存症、ギャンブル依存症等の病気を本発明に適用してもよい。また、骨折等の怪我を本発明に適用してもよい。
【０１２１】
次に、本発明の概要について説明する。図１４は、本発明のデータ収集支援装置の概要を示すブロック図である。本発明のデータ収集支援装置は、コンテンツ記憶部２と、出力制御部３と、データ送信部４とを備える。
【０１２２】
コンテンツ記憶部２は、所定の病気または所定の怪我に関する個々のコンテンツであって、表示可能となる順序が定められている個々のコンテンツと、その個々のコンテンツのタイトルとの組を複数組記憶する。
【０１２３】
出力制御部３は、新たにコンテンツが表示可能になったことを示す通知を定期的に出力し、所定の操作が行われた場合に、そのコンテンツをディスプレイ装置に表示させる。
【０１２４】
データ送信部４は、所定の条件が満たされたときに、表示可能となっている個々のコンテンツが表示済みであるか否かを示す情報、および、患者を特定するための情報を、予め定められた情報処理装置に送信する。
【０１２５】
そのような構成によって、所定の病気に罹患した患者または所定の怪我をした患者がその病気または怪我に関するコンテンツを閲覧することで患者のその病気または怪我に関する検査結果が向上するという予想が正しいか否かの検証実験に用いるデータの収集を支援することができる。
【０１２６】
上記の本発明の実施形態は、以下の付記のようにも記載され得るが、以下に限定されるわけではない。
【０１２７】
（付記１）
所定の病気または所定の怪我に関する個々のコンテンツであって、表示可能となる順序が定められている個々のコンテンツと、前記個々のコンテンツのタイトルとの組を複数組記憶するコンテンツ記憶部と、
新たにコンテンツが表示可能になったことを示す通知を定期的に出力し、所定の操作が行われた場合に、前記コンテンツをディスプレイ装置に表示させる出力制御部と、
所定の条件が満たされたときに、表示可能となっている個々のコンテンツが表示済みであるか否かを示す情報、および、患者を特定するための情報を、予め定められた情報処理装置に送信するデータ送信部とを備える
ことを特徴とするデータ収集支援装置。
【０１２８】
（付記２）
出力制御部は、
新たなコンテンツが表示可能になったことを示す通知を、１日毎に出力する
付記１に記載のデータ収集支援装置。
【０１２９】
（付記３）
出力制御部は、
新たなコンテンツが表示可能になったことを示す通知を、１日のうち１２時から１３時までの時間帯に出力する
付記２に記載のデータ収集支援装置。
【０１３０】
（付記４）
出力制御部は、
新たなコンテンツが表示可能になったことを示す通知を、１日のうち１２時から１３時までの時間帯に含まれる時刻であって、１２時および１３時以外の時刻に出力する
付記２または付記３に記載のデータ収集支援装置。
【０１３１】
（付記５）
出力制御部は、
新たなコンテンツが表示可能になったことを示す通知を定期的にディスプレイ装置に表示させ、表示させた前記通知がタップされると、表示可能となっているコンテンツのタイトルのリストを示すリスト画面を前記ディスプレイ装置に表示させ、前記リスト画面に含まれるタイトルがタップされると、当該タイトルに対応付けられたコンテンツを前記ディスプレイ装置に表示させる
付記１から付記４のうちのいずれかに記載のデータ収集支援装置。
【０１３２】
（付記６）
出力制御部は、
タイトルがタップされたコンテンツが、所定の病気または所定の怪我に関する患者へのメッセージである場合、当該メッセージをディスプレイ装置に表示させ、前記メッセージを表示済みであることをコンテンツ記憶部に記憶させ、
タイトルがタップされたコンテンツが、患者に対するアンケートである場合、当該アンケートをディスプレイ装置に表示させ、前記アンケートを表示済みであることを前記コンテンツ記憶部に記憶させ、前記アンケートへの回答が入力され、送信指示の操作が行われた場合、前記アンケートの回答を前記コンテンツ記憶部に記憶させ、
データ送信部は、
前記送信指示の操作が行われた場合に、コンテンツ記憶部を参照して、表示可能となっている個々のメッセージおよびアンケートが表示済みであるか否かを示す情報、コンテンツ記憶部に記憶されているアンケートの回答、および、患者を特定するための情報を、予め定められた情報処理装置に送信する
付記５に記載のデータ収集支援装置。
【０１３３】
（付記７）
データ送信部は、
最後のメッセージに該当するコンテンツがディスプレイ装置に表示された場合に、表示可能となっている個々のメッセージおよびアンケートが表示済みであるか否かを示す情報、コンテンツ記憶部に記憶されているアンケートの回答、および、患者を特定するための情報を、予め定められた情報処理装置に送信する
付記６に記載のデータ収集支援装置。
【０１３４】
（付記８）
少なくとも一部のコンテンツのタイトルは、所定の病気または所定の怪我に関連する文言を含む
付記１から付記７のうちのいずれかに記載のデータ収集支援装置。
【０１３５】
（付記９）
少なくとも一部のコンテンツのタイトルは、所定の文字数以下または所定の単語数以下のタイトルである
付記１から付記８のうちのいずれかに記載のデータ収集支援装置。
【０１３６】
（付記１０）
所定の病気または所定の怪我に関する個々のコンテンツであって、表示可能となる順序が定められている個々のコンテンツと、前記個々のコンテンツのタイトルとの組を複数組記憶するコンテンツ記憶部を備えたコンピュータが、
新たにコンテンツが表示可能になったことを示す通知を定期的に出力し、所定の操作が行われた場合に、前記コンテンツをディスプレイ装置に表示させ、
所定の条件が満たされたときに、表示可能となっている個々のコンテンツが表示済みであるか否かを示す情報、および、患者を特定するための情報を、予め定められた情報処理装置に送信する
ことを特徴とするデータ収集支援方法。
【０１３７】
（付記１１）
所定の病気または所定の怪我に関する個々のコンテンツであって、表示可能となる順序が定められている個々のコンテンツと、前記個々のコンテンツのタイトルとの組を複数組記憶するコンテンツ記憶部を備えたコンピュータに搭載されるデータ収集支援プログラムであって、
前記コンピュータに、
新たにコンテンツが表示可能になったことを示す通知を定期的に出力し、所定の操作が行われた場合に、前記コンテンツをディスプレイ装置に表示させる出力制御処理、および、
所定の条件が満たされたときに、表示可能となっている個々のコンテンツが表示済みであるか否かを示す情報、および、患者を特定するための情報を、予め定められた情報処理装置に送信するデータ送信処理
を実行させるためのデータ収集支援プログラム。
【産業上の利用可能性】
【０１３８】
本発明は、所定の目的の検証実験に用いられるデータの収集を支援するデータ収集支援装置に好適に適用される。
【符号の説明】
【０１３９】
１  データ収集支援装置
２  コンテンツ記憶部
３  出力制御部
４  データ送信部
５  設定部
１０１  ＣＰＵ
１０２  主記憶装置
１０３  補助記憶装置
１０４  通信インタフェース
１０５  ディスプレイ装置
１０６  入力装置（タッチパネル）
【図１】
2019028902.tif 000003
【図２】
2019028902.tif 000004
【図３】
2019028902.tif 000005
【図４】
2019028902.tif 000006
【図５】
2019028902.tif 000007
【図６】
2019028902.tif 000008
【図７】
2019028902.tif 000009
【図８】
2019028902.tif 000010
【図９】
2019028902.tif 000011
【図１０】
2019028902.tif 000012
【図１１】
2019028902.tif 000013
【図１２】
2019028902.tif 000014
【図１３】
2019028902.tif 000015
【図１４】
2019028902.tif 000016